(57)【特許請求の範囲】
【請求項１】
複数の出力先装置に送出するための映像音声データの記録および再生を行う複数のスレーブ機と、各スレーブ機に対して入力先装置から供給される映像音声データの転送を行うマスタ機とを備え、
前記スレーブ機は、
映像音声データの記録および再生を行うデータ記録再生部と、
前記マスタ機から転送される映像音声データの入力を行うデータ入力部と、
前記データ記録再生部より再生された映像音声データを前記複数の出力先装置に送出するための複数のデータ出力部と、
前記データ記録再生部、前記データ入力部および前記データ出力部が接続された共通のバスと、
所定の時間周期を、前記データ出力部が前記バスを占有して前記データ記録再生部より再生された映像音声データを各出力先装置に送出するための複数のデータ送出用タイムスロットと前記データ入力部が前記バスを占有して前記マスタ機から転送される映像音声データを前記データ記録再生部に記録するためのデータ転送用タイムスロットとに分け、且つ各スレーブ機毎に時間的に互いに異なるように前記データ転送用タイムスロットを設定し、前記データ送出用タイムスロットおよび前記データ転送用タイムスロットに従って、前記データ記録再生部、前記データ入力部および前記データ出力部を制御する制御手段と
を有し、
前記マスタ機は、
前記スレーブ機に対して転送するための映像音声データの記録および再生を行うマスタ機側データ記録再生部と、
前記入力先装置から供給される映像音声データの入力を行うマスタ機側データ入力部と、
前記マスタ機側データ記録再生部より再生された映像音声データを各スレーブ機に転送するための複数のマスタ機側データ出力部と、
前記マスタ機側データ記録再生部、前記マスタ機側データ入力部および前記マスタ機側データ出力部が接続された共通のマスタ機側バスと、
前記所定の時間周期を、前記マスタ機側データ入力部が前記マスタ機側バスを占有して前記入力先装置から供給される映像音声データを前記マスタ機側データ記録再生部に記録するためのデータ記録用タイムスロットと前記マスタ機側データ出力部が前記マスタ機側バスを占有して前記マスタ機側データ記録再生部より再生された映像音声データを各スレーブ機に転送するための複数のマスタ機側データ転送用タイムスロットとに分け、且つ各マスタ機側データ転送用タイムスロットを、対応するスレーブ機におけるデータ転送用タイムスロットに同期させて設定し、前記データ記録用タイムスロットおよび前記マスタ機側データ転送用タイムスロットに従って、前記マスタ機側データ記録再生部、前記マスタ機側データ入力部および前記マスタ機側データ出力部を制御するマスタ機側制御手段と
を有し、
前記マスタ機が、前記入力先装置から供給された映像音声データを前記データ記録用タイムスロットに同期して前記マスタ機側データ記録再生部に記録すると共に、各スレーブ機に対し、各スレーブ機毎に設定された前記データ転送用タイムスロットに同期して、前記マスタ機側データ記録再生部より再生された映像音声データの転送を行い、
各スレーブ機が、各データ送出用タイムスロットに同期して、対応する出力先装置に映像音声データを送出する
ことを特徴とするデータ記録再生装置。
【請求項２】
前記データ記録再生部は、入力データを分割した分割データと入力データに対するエラー検出および訂正用のデータとを複数のハードディスクドライブによって記録すると共に、複数のハードディスクドライブによって記録された分割データを再生して単一化すると共にエラー検出および訂正用のデータを用いてエラー検出および訂正を行って出力データを生成することを特徴とする請求項１記載のデータ記録再生装置。
【請求項３】
複数の出力先装置に送出するための映像音声データの記録および再生を行う複数のスレーブ機と、各スレーブ機に対して入力先装置から供給される映像音声データの転送を行うマスタ機と、前記複数のスレーブ機および前記マスタ機を制御する制御機とを備え、
前記スレーブ機は、
映像音声データの記録および再生を行うデータ記録再生部と、
前記マスタ機から転送される映像音声データの入力を行うデータ入力部と、
前記データ記録再生部より再生された映像音声データを前記複数の出力先装置に送出するための複数のデータ出力部と、
前記データ記録再生部、前記データ入力部および前記データ出力部が接続された共通のバスと、
所定の時間周期を、前記データ出力部が前記バスを占有して前記データ記録再生部より再生された映像音声データを各出力先装置に送出するための複数のデータ送出用タイムスロットと前記データ入力部が前記バスを占有して前記マスタ機から転送される映像音声データを前記データ記録再生部に記録するためのデータ転送用タイムスロットとに分け、且つ各スレーブ機毎に時間的に互いに異なるように前記データ転送用タイムスロットを設定し、前記データ送出用タイムスロットおよび前記データ転送用タイムスロットに従って、前記データ記録再生部、前記データ入力部および前記データ出力部を制御する制御手段と
を有し、
前記マスタ機は、各スレーブ機に対し、各スレーブ機におけるデータ転送用タイムスロットに同期して前記マスタ機側データ記録再生部より再生された映像音声データの転送を行い、
前記制御機は、前記複数のデータ送出用タイムスロットと前記データ転送用タイムスロットとからなる複数のタイムスロットの順番の設定を行う
ことを特徴とするデータ記録再生装置。
【請求項４】
複数の出力先装置に送出するための映像音声データの記録および再生を行う複数のスレーブ機と、各スレーブ機に対して入力先装置から供給される映像音声データの転送を行うマスタ機とを備え、前記マスタ機が、前記スレーブ機に対して転送するための映像音声データの記録および再生を行うマスタ機側データ記録再生部と、前記入力先装置から供給される映像音声データの入力を行うマスタ機側データ入力部と、前記マスタ機側データ記録再生部より再生された映像音声データを各スレーブ機に転送するための複数のマスタ機側データ出力部と、前記マスタ機側データ記録再生部、前記マスタ機側データ入力部および前記マスタ機側データ出力部が接続された共通のマスタ機側バスとを有し、前記スレーブ機が、映像音声データの記録および再生を行うデータ記録再生部と、前記マスタ機から転送される映像音声データの入力を行うデータ入力部と、前記データ記録再生部より再生された映像音声データを前記複数の出力先装置に送出するための複数のデータ出力部と、前記データ記録再生部、前記データ入力部および前記データ出力部が接続された共通のバスとを有するように構成されたデータ記録再生装置に適用されるデータ記録再生方法であって、
前記スレーブ機において、所定の時間周期を、前記データ出力部が前記バスを占有して前記データ記録再生部より再生された映像音声データを各出力先装置に送出するための複数のデータ送出用タイムスロットと前記データ入力部が前記バスを占有して前記マスタ機から転送される映像音声データを前記データ記録再生部に記録するためのデータ転送用タイムスロットとに分け、且つ各スレーブ機毎に時間的に互いに異なるように前記データ転送用タイムスロットを設定し、前記データ送出用タイムスロットおよび前記データ転送用タイムスロットに従って、前記スレーブ機における前記データ記録再生部、前記データ入力部および前記データ出力部を制御すると共に、
前記マスタ機において、前記所定の時間周期を、前記マスタ機側データ入力部が前記マスタ機側バスを占有して前記入力先装置から供給される映像音声データを前記マスタ機側データ記録再生部に記録するためのデータ記録用タイムスロットと前記マスタ機側データ出力部が前記マスタ機側バスを占有して前記マスタ機側データ記録再生部より再生された映像音声データを各スレーブ機に転送するための複数のマスタ機側データ転送用タイムスロットとに分け、且つ各マスタ機側データ転送用タイムスロットを、対応するスレーブ機におけるデータ転送用タイムスロットに同期させて設定し、前記データ記録用タイムスロットおよび前記マスタ機側データ転送用タイムスロットに従って、前記マスタ機側データ記録再生部、前記マスタ機側データ入力部および前記マスタ機側データ出力部を制御し、
前記マスタ機が、前記入力先装置から供給された映像音声データを前記データ記録用タイムスロットに同期して前記マスタ機側データ記録再生部に記録すると共に、各スレーブ機に対し、各スレーブ機毎に設定された前記データ転送用タイムスロットに同期して、前記マスタ機側データ記録再生部より再生された映像音声データの転送を行い、
各スレーブ機が、各データ送出用タイムスロットに同期して、対応する出力先装置に映像音声データを送出する
ことを特徴とするデータ記録再生方法。
【請求項５】
複数の出力先装置に送出するための映像音声データの記録および再生を行う複数のスレーブ機と、各スレーブ機に対して入力先装置から供給される映像音声データの転送を行うマスタ機と、前記複数のスレーブ機および前記マスタ機を制御する制御機とを備え、前記スレーブ機が、映像音声データの記録および再生を行うデータ記録再生部と、前記マスタ機から転送される映像音声データの入力を行うデータ入力部と、前記データ記録再生部より再生された映像音声データを前記複数の出力先装置に送出するための複数のデータ出力部と、前記データ記録再生部、前記データ入力部および前記データ出力部が接続された共通のバスとを有するように構成されたデータ記録再生装置に適用されるデータ記録再生方法であって、
前記スレーブ機において、所定の時間周期を、前記データ出力部が前記バスを占有して前記データ記録再生部より再生された映像音声データを各出力先装置に送出するための複数のデータ送出用タイムスロットと前記データ入力部が前記バスを占有して前記マスタ機から転送される映像音声データを前記データ記録再生部に記録するためのデータ転送用タイムスロットとに分け、且つ各スレーブ機毎に時間的に互いに異なるように前記データ転送用タイムスロットを設定し、前記データ送出用タイムスロットおよび前記データ転送用タイムスロットに従って、前記スレーブ機における前記データ記録再生部、前記データ入力部および前記データ出力部を制御すると共に、
前記制御機において、前記複数のデータ送出用タイムスロットと前記データ転送用タイムスロットとからなる複数のタイムスロットの順番の設定を行い、各スレーブ機に対し、各スレーブ機におけるデータ転送用タイムスロットに同期して前記マスタ機側データ記録再生部より再生された映像音声データの転送を行うように前記マスタ機を制御する
ことを特徴とするデータ記録再生方法。
【発明の詳細な説明】
【０００１】
【発明の属する技術分野】
本発明は、映像データや音声データ等を記録、再生するデータ記録再生装置および方法に関する。
【０００２】
【従来の技術】
近年、ＣＡＴＶ（ケーブル・テレビジョン）等の普及による情報提供の多チャネル化に伴い、従来のＶＴＲ（ビデオ・テープ・レコーダ）とは異なり、１台の映像・音声データ記録再生装置から複数の映像・音声データを同時に再生するという要求が高まりつつある。そして、この要求を満たすために、ハードディスク等のランダムアクセスが可能な記録再生メディアを使用して、映像・音声データを記録再生する装置が普及しつつある。
【０００３】
一般的に、放送局内における映像・音声データ記録再生装置においては、画質・音質に対する要求から、必要とされるデータの転送レートが高い上に、長時間のデータを記録するためには大容量である必要があるため、複数のハードディスクドライブを並列運転して転送レートの高速化と大容量化を図り、更にパリティデータを記録しておくことにより、万一いずれかのハードディスクドライブが故障しても、信頼性を確保できる構成とした装置が要望されている。
【０００４】
ここで、図６を参照して、複数のハードディスクを含むディスクアレイ装置の一般的な構成について説明する。このディスクアレイ装置は、複数のハードディスクドライブ１０１〜１０５と、これらのハードディスクドライブ１０１〜１０５を制御するディスクアレイコントローラ１０６とを備えている。複数のハードディスクドライブ１０１〜１０５のうちの１台のハードディスクドライブ１０５は、パリティデータ専用になっている。なお、図６では、５台のハードディスクドライブ１０１〜１０５を示したが、ハードディスクドライブの数はこれに限られるものではない。
【０００５】
図６に示したディスクアレイ装置では、入力されたデータ１０７は、ディスクアレイコントローラ１０６によって、所定の単位（例えば１バイト）で分割され、分割された所定の単位のデータＤ0 ，Ｄ1 ，Ｄ3 ，Ｄ4 ，Ｄ5 ，…は、ハードディスクドライブ１０１〜１０４によって順に各ハードディスクドライブ１０１〜１０４内のハードディスクに書き込まれる。また、ディスクアレイコントローラ１０６によって、各ハードディスクドライブ１０１〜１０４によってハードディスクに書き込まれるデータのパリティデータＰ0 ，Ｐ1 ，…が計算され、このパリティデータＰ0 ，Ｐ1 ，…は、専用のハードディスクドライブ１０５によってハードディスクドライブ１０５内のハードディスクに書き込まれる。このようにデータを複数のハードディスクに分割して記録することはストライピング（ｓｔｒｉｐｉｎｇ）と呼ばれる。図６に示したディスクアレイ装置では、各ハードディスクドライブ１０１〜１０４によって記録されたデータを再生する際には、ディスクアレイコントローラ１０６によって、各ハードディスクドライブ１０１〜１０４よりデータを再生させ、この再生された各データを、入力時と同じように並べて、単一化して出力するようになっている。このように複数のハードディスクに分割して記録されたデータを単一化することはユニフィケイション（ｕｎｉｆｉｃａｔｉｏｎ）と呼ばれる。データの再生時には、ディスクアレイコントローラ１０６は、ハードディスクドライブ１０５よりパリティデータを再生させ、このパリティデータに基づいてエラー検出およびエラー訂正を行うようになっている。
【０００６】
図６に示したようなディスクアレイ装置では、ハードディスクドライブ１０１〜１０４のうちのいずれかが故障した場合には、他の正常なハードディスクドライブによって記録されているデータとパリティデータとに基づいてオリジナルのデータを再構築することが可能であり、これにより、データ記録再生装置としての信頼性を向上させている。
【０００７】
一方、複数のハードディスクドライブを並列運転することにより入出力の転送レートが向上するので、高転送レートが要求され、ハードディスクドライブ単体では構成することが困難であった映像・音声データ記録再生装置においても、ディスクアレイ装置を使用することにより、ハードディスクドライブを記録再生部に用いた装置を構成することも可能となってきている。
【０００８】
更に、近年のＣＡＴＶや、一般放送局における多チャネル化への対応として、従来であればチャネル数に応じた台数のＶＴＲを用いて構成されていた送出装置を、ディスクアレイ装置を使用して１台の装置から複数の出力を同時に取り出すことのできる装置に置き換えるという要求が高まりつつある。
【０００９】
【発明が解決しようとする課題】
ところで、送出装置では、それを導入しようとする放送局が提供しようとしている番組の内容や放送形態により要求されるチャネル数が異なるうえ、複数の素材データを分散的に記録しておき多チャネルの送出を同時に行いたい場合や、同一の素材データを再生時間をずらして多チャネルで再生することによりニア・ビデオ・オン・デマンド（ＮＶＯＤ）としたい場合等の多様な使用形態が考えられる。
【００１０】
従って、従来、送出装置では、要求されるチャネル数に応じて装置自体を作り分ける必要があり、結果として、同じような構造でありながら他機種になってしまうので、コスト的なメリットがなかったり、将来的にチャネル数を増やしていきたいというような要求に対応することができなかったりするという問題点があった。
【００１１】
また、２４時間連続して放送を行う場合には、番組データとして供給される素材データを、サービスを停止させることなく入れ替える必要があるため、従来の送出装置では、装置自体を部分的に２重化したりする必要があったり、自動化が困難であったりして、効率的に素材データの転送を行うことができないという問題点があった。
【００１２】
本発明はかかる問題点に鑑みてなされたもので、その目的は、多様な使用形態を可能とすると共に、効率的に映像音声データの転送を行うことができるようにしたデータ記録再生装置および方法を提供することにある。
【００１３】
【課題を解決するための手段】
本発明のデータ記録再生装置は、複数の出力先装置に送出するための映像音声データの記録および再生を行う複数のスレーブ機と、各スレーブ機に対して入力先装置から供給される映像音声データの転送を行うマスタ機とを備え、スレーブ機が、映像音声データの記録および再生を行うデータ記録再生部と、マスタ機から転送される映像音声データの入力を行うデータ入力部と、データ記録再生部より再生された映像音声データを複数の出力先装置に送出するための複数のデータ出力部と、データ記録再生部、データ入力部およびデータ出力部が接続された共通のバスと、所定の時間周期を、データ出力部がバスを占有してデータ記録再生部より再生された映像音声データを各出力先装置に送出するための複数のデータ送出用タイムスロットとデータ入力部がバスを占有してマスタ機から転送される映像音声データをデータ記録再生部に記録するためのデータ転送用タイムスロットとに分け、且つ各スレーブ機毎に時間的に互いに異なるようにデータ転送用タイムスロットを設定し、データ送出用タイムスロットおよびデータ転送用タイムスロットに従って、データ記録再生部、データ入力部およびデータ出力部を制御する制御手段とを有し、マスタ機が、スレーブ機に対して転送するための映像音声データの記録および再生を行うマスタ機側データ記録再生部と、入力先装置から供給される映像音声データの入力を行うマスタ機側データ入力部と、マスタ機側データ記録再生部より再生された映像音声データを各スレーブ機に転送するための複数のマスタ機側データ出力部と、マスタ機側データ記録再生部、マスタ機側データ入力部およびマスタ機側データ出力部が接続された共通のマスタ機側バスと、所定の時間周期を、マスタ機側データ入力部がマスタ機側バスを占有して入力先装置から供給される映像音声データをマスタ機側データ記録再生部に記録するためのデータ記録用タイムスロットとマスタ機側データ出力部がマスタ機側バスを占有してマスタ機側データ記録再生部より再生された映像音声データを各スレーブ機に転送するための複数のマスタ機側データ転送用タイムスロットとに分け、且つ各マスタ機側データ転送用タイムスロットを、対応するスレーブ機におけるデータ転送用タイムスロットに同期させて設定し、データ記録用タイムスロットおよびマスタ機側データ転送用タイムスロットに従って、マスタ機側データ記録再生部、マスタ機側データ入力部およびマスタ機側データ出力部を制御するマスタ機側制御手段とを有し、マスタ機が、入力先装置から供給された映像音声データをデータ記録用タイムスロットに同期してマスタ機側データ記録再生部に記録すると共に、各スレーブ機に対し、各スレーブ機毎に設定されたデータ転送用タイムスロットに同期して、マスタ機側データ記録再生部より再生された映像音声データの転送を行い、各スレーブ機が、各データ送出用タイムスロットに同期して、対応する出力先装置に映像音声データを送出するように構成したものである。
本発明の他のデータ記録再生装置は、複数の出力先装置に送出するための映像音声データの記録および再生を行う複数のスレーブ機と、各スレーブ機に対して入力先装置から供給される映像音声データの転送を行うマスタ機と、複数のスレーブ機およびマスタ機を制御する制御機とを備え、スレーブ機は、映像音声データの記録および再生を行うデータ記録再生部と、マスタ機から転送される映像音声データの入力を行うデータ入力部と、データ記録再生部より再生された映像音声データを複数の出力先装置に送出するための複数のデータ出力部と、データ記録再生部、データ入力部およびデータ出力部が接続された共通のバスと、所定の時間周期を、データ出力部がバスを占有してデータ記録再生部より再生された映像音声データを各出力先装置に送出するための複数のデータ送出用タイムスロットとデータ入力部がバスを占有してマスタ機から転送される映像音声データをデータ記録再生部に記録するためのデータ転送用タイムスロットとに分け、且つ各スレーブ機毎に時間的に互いに異なるようにデータ転送用タイムスロットを設定し、データ送出用タイムスロットおよびデータ転送用タイムスロットに従って、データ記録再生部、データ入力部およびデータ出力部を制御する制御手段とを有し、マスタ機は、各スレーブ機に対し、各スレーブ機におけるデータ転送用タイムスロットに同期してマスタ機側データ記録再生部より再生された映像音声データの転送を行い、制御機は、複数のデータ送出用タイムスロットとデータ転送用タイムスロットとからなる複数のタイムスロットの順番の設定を行うように構成したものである。
【００１４】
本発明のデータ記録再生方法は、複数の出力先装置に送出するための映像音声データの記録および再生を行う複数のスレーブ機と、各スレーブ機に対して入力先装置から供給される映像音声データの転送を行うマスタ機とを備え、マスタ機が、スレーブ機に対して転送するための映像音声データの記録および再生を行うマスタ機側データ記録再生部と、入力先装置から供給される映像音声データの入力を行うマスタ機側データ入力部と、マスタ機側データ記録再生部より再生された映像音声データを各スレーブ機に転送するための複数のマスタ機側データ出力部と、マスタ機側データ記録再生部、マスタ機側データ入力部およびマスタ機側データ出力部が接続された共通のマスタ機側バスとを有し、スレーブ機が、映像音声データの記録および再生を行うデータ記録再生部と、マスタ機から転送される映像音声データの入力を行うデータ入力部と、データ記録再生部より再生された映像音声データを複数の出力先装置に送出するための複数のデータ出力部と、データ記録再生部、データ入力部およびデータ出力部が接続された共通のバスとを有するように構成されたデータ記録再生装置に適用されるデータ記録再生方法であって、スレーブ機において、所定の時間周期を、データ出力部がバスを占有してデータ記録再生部より再生された映像音声データを各出力先装置に送出するための複数のデータ送出用タイムスロットとデータ入力部がバスを占有してマスタ機から転送される映像音声データをデータ記録再生部に記録するためのデータ転送用タイムスロットとに分け、且つ各スレーブ機毎に時間的に互いに異なるようにデータ転送用タイムスロットを設定し、データ送出用タイムスロットおよびデータ転送用タイムスロットに従って、スレーブ機におけるデータ記録再生部、データ入力部およびデータ出力部を制御すると共に、マスタ機において、所定の時間周期を、マスタ機側データ入力部がマスタ機側バスを占有して入力先装置から供給される映像音声データをマスタ機側データ記録再生部に記録するためのデータ記録用タイムスロットとマスタ機側データ出力部がマスタ機側バスを占有してマスタ機側データ記録再生部より再生された映像音声データを各スレーブ機に転送するための複数のマスタ機側データ転送用タイムスロットとに分け、且つ各マスタ機側データ転送用タイムスロットを、対応するスレーブ機におけるデータ転送用タイムスロットに同期させて設定し、データ記録用タイムスロットおよびマスタ機側データ転送用タイムスロットに従って、マスタ機側データ記録再生部、マスタ機側データ入力部およびマスタ機側データ出力部を制御し、マスタ機が、入力先装置から供給された映像音声データをデータ記録用タイムスロットに同期してマスタ機側データ記録再生部に記録すると共に、各スレーブ機に対し、各スレーブ機毎に設定されたデータ転送用タイムスロットに同期して、マスタ機側データ記録再生部より再生された映像音声データの転送を行い、各スレーブ機が、各データ送出用タイムスロットに同期して、対応する出力先装置に映像音声データを送出するものである。
本発明の他のデータ記録再生方法は、複数の出力先装置に送出するための映像音声データの記録および再生を行う複数のスレーブ機と、各スレーブ機に対して入力先装置から供給される映像音声データの転送を行うマスタ機と、複数のスレーブ機およびマスタ機を制御する制御機とを備え、スレーブ機が、映像音声データの記録および再生を行うデータ記録再生部と、マスタ機から転送される映像音声データの入力を行うデータ入力部と、データ記録再生部より再生された映像音声データを複数の出力先装置に送出するための複数のデータ出力部と、データ記録再生部、データ入力部およびデータ出力部が接続された共通のバスとを有するように構成されたデータ記録再生装置に適用されるデータ記録再生方法であって、スレーブ機において、所定の時間周期を、データ出力部がバスを占有してデータ記録再生部より再生された映像音声データを各出力先装置に送出するための複数のデータ送出用タイムスロットとデータ入力部がバスを占有してマスタ機から転送される映像音声データをデータ記録再生部に記録するためのデータ転送用タイムスロットとに分け、且つ各スレーブ機毎に時間的に互いに異なるようにデータ転送用タイムスロットを設定し、データ送出用タイムスロットおよびデータ転送用タイムスロットに従って、スレーブ機におけるデータ記録再生部、データ入力部およびデータ出力部を制御すると共に、制御機において、複数のデータ送出用タイムスロットとデータ転送用タイムスロットとからなる複数のタイムスロットの順番の設定を行い、各スレーブ機に対し、各スレーブ機におけるデータ転送用タイムスロットに同期してマスタ機側データ記録再生部より再生された映像音声データの転送を行うようにマスタ機を制御するものである。
【００１５】
本発明のデータ記録再生装置および方法では、スレーブ機において、所定の時間周期を、データ出力部がバスを占有してデータ記録再生部より再生された映像音声データを各出力先装置に送出するための複数のデータ送出用タイムスロットとデータ入力部がバスを占有してマスタ機から転送される映像音声データをデータ記録再生部に記録するためのデータ転送用タイムスロットとに分けてデータ記録再生部、データ入力部およびデータ出力部を制御すると共に、マスタ機において、所定の時間周期を、マスタ機側データ入力部がマスタ機側バスを占有して入力先装置から供給される映像音声データをマスタ機側データ記録再生部に記録するためのデータ記録用タイムスロットとマスタ機側データ出力部がマスタ機側バスを占有してマスタ機側データ記録再生部より再生された映像音声データを各スレーブ機に転送するための複数のマスタ機側データ転送用タイムスロットとに分け、且つ各マスタ機側データ転送用タイムスロットを、対応するスレーブ機におけるデータ転送用タイムスロットに同期させて設定し、データ記録用タイムスロットおよびマスタ機側データ転送用タイムスロットに従って、マスタ機側データ記録再生部、マスタ機側データ入力部およびマスタ機側データ出力部を制御するようにしたことにより、スレーブ機において映像音声データを出力先装置へ送出しながら、マスタ機から転送される映像音声データを記録することが可能となると共に、入力先装置から供給された映像音声データをデータ記録用タイムスロットに同期してマスタ機側データ記録再生部に記録することが可能となる。また、本発明のデータ記録再生装置および方法では、各スレーブ機毎に時間的に互いに異なるようにデータ転送用タイムスロットを設定し、マスタ機が、各スレーブ機に対し、各スレーブ機毎に設定されたデータ転送用タイムスロットに同期して、マスタ機側データ記録再生部より再生された映像音声データの転送を行うようにしたことにより、効率的に映像音声データの転送を行うことが可能となる。
【００１６】
【発明の実施の形態】
以下、本発明の一実施の形態について図面を参照して詳細に説明する。図１は本発明の一実施の形態に係るデータ記録再生装置の全体の構成を示す説明図である。本実施の形態に係るデータ記録再生装置は、多チャネルの自動送出装置として使用されるものである。このデータ記録再生装置は、１台のマスタ機１０と、このマスタ機１０に接続された複数台（図１に示した例では４台）のスレーブ機１１Ａ〜１１Ｄと、マスタ機１０に接続された制御用コンピュータ１２とを備えている。
【００１７】
各スレーブ機１１Ａ〜１１Ｄは、それぞれ、複数チャネル（図１に示した例では４チャネル）の映像出力端および音声出力端を有している。なお、図１では、スレーブ機１１Ａの映像出力端より出力される映像データをＶO1〜ＶO4、スレーブ機１１Ｂの映像出力端より出力される映像データをＶO5〜ＶO8、スレーブ機１１Ｃの映像出力端より出力される映像データをＶO9〜ＶO12 、スレーブ機１１Ｄの映像出力端より出力される映像データをＶO13 〜ＶO16 として示している。各スレーブ機１１Ａ〜１１Ｄは、それぞれ、マスタ機１０より転送された素材データを蓄積し、所定のスケジュールに従って素材データを再生して映像出力端および音声出力端から番組データとして送出するようになっている。
【００１８】
マスタ機１０は、素材データを蓄積し、所定のスケジュールに従って素材データを再生してスレーブ機１１Ａ〜１１Ｄに転送するようになっている。制御用コンピュータ１２は、データ記録再生装置を用いたシステム全体における番組の送出時間とその内容を管理するためのものであり、スレーブ機１１Ａ〜１１Ｄからの送出番組の制御や、マスタ機１０内に蓄積した番組の素材データを、所定のスケジュールに従ってスレーブ機１１Ａ〜１１Ｄに転送したり、マスタ機１０に対して新しい素材データの記録に必要な制御を行ったりするようになっている。
【００１９】
図２は、図１におけるスレーブ機１１（１１Ａ〜１１Ｄを代表して表す。）の構成を示すブロック図である。スレーブ機１１は、冗長性の確保、記録再生時の転送レートの高速化および大容量化を可能としたディスクアレイ構造のデータ記録再生部２１と、このデータ記録再生部２１からの再生データを処理して、映像データおよび音声データとして出力するための４つのデコーダ部２２ａ〜２２ｄと、マスタ機１０との接続のためのインタフェース部２３と、スレーブ機１１全体の制御を行うコントロール部２４と、データ記録再生部２１，デコーダ部２２ａ〜２２ｄ，インタフェース部２３およびコントロール部２４が接続された共通のデータバス２５とを備えている。
【００２０】
データ記録再生部２１は、複数のハードディスクドライブ（以下、ＨＤＤと記す。）２７と、これらのＨＤＤ２７を制御する分割・単一化部２８と、この分割・単一化部２８とデータバス２５とを接続するためのバスインタフェース２９とを有している。ＨＤＤ２７では、映像・音声データを圧縮した圧縮データがディスクに記録されるようになっている。なお、複数のＨＤＤ２７のうちの１台はパリティデータ専用になっている。分割・単一化部２８の機能は、図６におけるディスクアレイコントローラ１０６と同様である。
【００２１】
デコーダ部２２（２２ａ〜２２ｄを代表して表す。）は、データ記録再生部２１からの再生データを一時的に記憶するためのバッファメモリ３２と、このバッファメモリ３２とデータバス２５とを接続するためのバスインタフェース３１と、バッファメモリ３２の出力データである圧縮データを伸長処理（デコード）して、映像データと音声データとを生成するビットレートリダクション（以下、ＢＲＲと記す。）デコーダ３３と、このＢＲＲデコーダ３３から出力される映像データＶO を外部に出力するためのビデオインタフェース３４と、ＢＲＲデコーダ３３から出力される音声データＡO を外部に出力するためのオーディオインタフェース３５とを有している。
【００２２】
インタフェース部２３は、マスタ機１０との接続のためのネットワークインタフェース３６と、このネットワークインタフェース３６に接続されたバッファメモリ３７と、このバッファメモリ３７とデータバス２５とを接続するためのバスインタフェース３８とを有している。
【００２３】
コントロール部２４は、ＣＰＵ（中央処理装置）４１と、ＲＯＭ（リード・オンリ・メモリ）およびＲＡＭ（ランダム・アクセス・メモリ）を含むメモリ４２と、ＣＰＵ４１およびメモリ４２が接続されたＣＰＵバス４３と、ＣＰＵバス４３とデータバス２５とを接続するためのバスブリッジ４４とを有している。
【００２４】
図３は、図１におけるマスタ機１０の構成を示すブロック図である。マスタ機１０は、冗長性の確保、記録再生時の転送レートの高速化および大容量化を可能としたディスクアレイ構造のデータ記録再生部５１と、外部から入力された映像・音声データを記録用のフォーマットにするためのエンコーダ部５２と、データ記録再生部５１からの再生データをスレーブ機１１に転送するための接続を行う４つのインタフェース部５３ａ〜５３ｄと、マスタ機１０全体の制御を行うコントロール部５４と、データ記録再生部５１，エンコーダ部５２，インタフェース部５３ａ〜５３ｄおよびコントロール部５４が接続された共通のデータバス５５とを備えている。
【００２５】
データ記録再生部５１は、スレーブ機１１におけるデータ記録再生部２１と同様に、複数のＨＤＤ５７と、これらのＨＤＤ５７を制御する分割・単一化部５８と、この分割・単一化部５８とデータバス５５とを接続するためのバスインタフェース５９とを有している。ＨＤＤ５７では、映像・音声データを圧縮した圧縮データがディスクに記録されるようになっている。なお、複数のＨＤＤ５７のうちの１台はパリティデータ専用になっている。分割・単一化部５８の機能は、図６におけるディスクアレイコントローラ１０６と同様である。
【００２６】
エンコーダ部５２は、外部からの映像データＶIを入力するためのビデオインタフェース６１と、外部からの音声データＡIを入力するためのオーディオインタフェース６２と、ビデオインタフェース６１で入力した映像データＶIとオーディオインタフェース６２で入力した音声データＡIとを圧縮処理（エンコード）して圧縮データを生成するＢＲＲエンコーダ６３と、このＢＲＲエンコーダ６３の出力データを一時的に記憶するためのバッファメモリ６４と、このバッファメモリ６４とデータバス５５とを接続するためのバスインタフェース６５とを有している。
【００２７】
インタフェース部５３（５３ａ〜５３ｄを代表して表す。）は、スレーブ機１１との接続のためのネットワークインタフェース６６と、このネットワークインタフェース６６に接続されたバッファメモリ６７と、このバッファメモリ６７とデータバス５５とを接続するためのバスインタフェース６８とを有している。インタフェース部５３ａ〜５３ｄは、それぞれ、図１におけるスレーブ機１１Ａ〜１１Ｄに接続されるようになっている。
【００２８】
コントロール部５４は、ＣＰＵ７１と、ＲＯＭおよびＲＡＭを含むメモリ７２と、ＣＰＵ７１およびメモリ７２が接続されたＣＰＵバス７３と、ＣＰＵバス７３とデータバス５５とを接続するためのバスブリッジ７４とを有している。
【００２９】
次に、本実施の形態に係るデータ記録再生装置の動作について説明する。まず、図２に示したスレーブ機１１の動作について説明する。スレーブ機１１におけるコントロール部２４は、メモリ４２におけるＲＡＭをワーキングエリアとして、ＲＯＭに格納されたプログラムを実行することにより、以下のような制御を行う。すなわち、コントロール部２４は、データ記録再生部２１に予め記録されているデータを、予定された時間に再生し、デコーダ部２２ａ〜２２ｄのいずれか一つまたは複数のデコーダ部に転送して、映像・音声データを出力する制御を行う。これにより、スレーブ機１１は、同一の素材を時間をずらして放送するＮＶＯＤ動作を実現したり、デコーダ部２２ａ〜２２ｄ毎に異なる素材を送出して多チャネルの送出動作を行ったりすることができるようになっている。また、コントロール部２４は、マスタ機１０から転送される素材データを、インタフェース部２３によって入力し、データ記録再生部２１によって記録する制御を行う。
【００３０】
データ記録再生部２１からデコーダ部２２へのデータの転送の際には、データ記録再生部２１の分割・単一化部２８によって、各ＨＤＤ２７より再生されたデータが入力時と同じように並べられて単一化され、且つパリティデータを用いたエラー検出およびエラー訂正が行われて出力データが生成され、この出力データがバスインタフェース２９によってデータバス２５に送出される。このデータは、転送すべきデコーダ部２２のバスインタフェース３１に入力され、バッファメモリ３２に一時的に記憶された後、ＢＲＲデコーダ３３によって伸長処理されて、映像データと音声データとが生成され、それぞれビデオインタフェース３４，オーディオインタフェース３５によって外部に出力される。
【００３１】
マスタ機１０から転送される素材データをデータ記録再生部２１に記録する際には、マスタ機１０から転送される素材データは、インタフェース部２３のネットワークインタフェース３６に入力され、バッファメモリ３７に一時的に記憶された後、バスインタフェース３８によってデータバス２５に送出される。このデータは、データ記録再生部２１のバスインタフェース２９に入力され、分割・単一化部２８によって複数のＨＤＤ２７に分割されて記録され、且つパリティデータが計算され、このパリティデータが専用のＨＤＤ２７に記録される。
【００３２】
スレーブ機１１では、データバス２５上で、このデータバス２５に接続された各部間のデータ転送が競合してしまうことがないように、時間的な区切りであるタイムスロットを用いてデータの転送を制御している。ここで、このデータ転送の制御について、図４を参照して説明する。図４（ａ）は、タイムスロットの内容を示したものである。このように、スレーブ機１１では、一定時間間隔Ｔ１を５つのタイムスロットＴＳ１〜ＴＳ５に分けている。タイムスロットＴＳ１〜ＴＳ４は、それぞれ、デコーダ部２２ａ〜２２ｄ用となっており、そのタイムスロットの間、対応するデコーダ部２２ａ〜２２ｄがデータバス２５を占有する。タイムスロットＴＳ５は、システム管理用であり、スレーブ機１１とマスタ機１０との交信やシステム内のメンテナンス等に使用される。
【００３３】
コントロール部２４は、図４（ａ）に示したタイムスロットに従って、データの再生に必要なコマンドをデコーダ部２２ａ〜２２ｄとデータ記録再生部２１に送った後、データバス２５の使用権をデコーダ部２２ａ〜２２ｄのいずれかに渡す。図４（ｂ），（ｃ）は、データ記録再生部２１からの再生データを各デコーダ部２２ａ〜２２ｄに転送する際のデータバスの状態と、データ記録再生部２１の状態を表したものである。図中、Ｃ１〜Ｃ４は、それぞれコントロール部２４からデコーダ部２２ａ〜２２ｄとデータ記録再生部２１に送るコマンドを表し、Ｒ１〜Ｒ４は、それぞれデータ記録再生部２１から各デコーダ部２２ａ〜２２ｄへ転送する再生データを表している。図４（ｄ）は、再生データＲ２を再生する際を例にとって、データ記録再生部２１の各ＨＤＤ２７における動作を示したものである。この動作では、まず、各ＨＤＤ２７に接続されたＳＣＳＩバスによってＨＤＤ２７にコマンドが送られ、ＨＤＤ２７の内部では、コマンドを解釈し、実行する。すなわち、ＨＤＤ２７は、シークおよび回転待ちの後、所望のデータを再生する。この再生データは、ＨＤＤ２７からＳＣＳＩバスに転送され、更に、データ再生終了の際には、ＨＤＤ２７からＳＣＳＩバス上にその旨のステータスが返る。
【００３４】
図４に示したように、スレーブ機１１では、一定時間間隔Ｔ１をデコーダ部２２ａ〜２２ｄ用のタイムスロットＴＳ１〜ＴＳ４とシステム管理用のタイムスロットＴＳ５に分けて制御を行うことにより、映像・音声データの再生を連続して行いながら、システム管理用のタイムスロットＴＳ５を利用して、新しい素材データの記録やシステム内のメンテナンスを行うことができる。
【００３５】
各デコーダ部２２ａ〜２２ｄには、一定時間間隔Ｔ１の間、映像もしくは音声を連続して再生するために必要データを一時的に記憶しておくためのバッファメモリ３２があり、その結果、一つのデータ記録再生部２１から同時に複数の映像・音声データを再生することが可能となっている。
【００３６】
次に、図３に示したマスタ機１０の動作について説明する。マスタ機１０におけるコントロール部５４は、メモリ７２におけるＲＡＭをワーキングエリアとして、ＲＯＭに格納されたプログラムを実行することにより、以下のような制御を行う。すなわち、コントロール部５４は、エンコーダ部５２に入力された映像・音声データをデータ記録再生部５１に記録したり、予めデータ記録再生部５１に記録されている映像・音声データを、予定された時間に再生し、インタフェース部５３ａ〜５３ｄのうちのいずれか一つまたは複数のインタフェース部に転送する制御を行う。
【００３７】
エンコーダ部５２に入力された映像・音声データをデータ記録再生部５１に記録する際には、外部からの映像データＶI と音声データＡI は、それぞれ、ビデオインタフェース６１とオーディオインタフェース６２を介して、ＢＲＲエンコーダ６３に入力され、圧縮処理されて圧縮データが生成される。この圧縮データは、バッファメモリ６４に一時的に記憶された後、バスインタフェース６５によってデータバス５５に送出される。このデータは、データ記録再生部５１のバスインタフェース５９に入力され、分割・単一化部５８によって複数のＨＤＤ５７に分割されて記録され、且つパリティデータが計算され、このパリティデータが専用のＨＤＤ５７に記録される。
【００３８】
データ記録再生部５１からインタフェース５３ａ〜５３ｄへのデータの転送の際には、データ記録再生部５１の分割・単一化部５８によって、各ＨＤＤ５７より再生されたデータが入力時と同じように並べられて単一化され、且つパリティデータを用いたエラー検出およびエラー訂正が行われて出力データが生成され、この出力データが、バスインタフェース５９によってデータバス５５に送出される。このデータは、転送すべきインタフェース部５３のバスインタフェース６８に入力され、バッファメモリ６７に一時的に記憶された後、ネットワークインタフェース６６によって、インタフェース部５３に接続されているスレーブ機１１に転送される。
【００３９】
マスタ機１０では、スレーブ機１１と同様に、データバス５５上で、このデータバス５５に接続された各部間のデータ転送が競合してしまうことがないように、一定時間間隔Ｔ１を５つのタイムスロットに分けて、このタイムスロットを用いてデータの転送を制御している。タイムスロットには、各インタフェース部５３ａ〜５３ｄ用とエンコーダ部５２用とがある。各インタフェース部５３ａ〜５３ｄ用の４つのタイムスロットは、各インタフェース部５３ａ〜５３ｄを介して各スレーブ機１１Ａ〜１１Ｄにデータを転送したり、各スレーブ機１１Ａ〜１１Ｄを制御したりするのに使用され、エンコーダ部５２用のタイムスロットは、エンコーダ部５２に入力されたデータをデータ記録再生部５１に記録するために使用される。
【００４０】
次に、図５を参照して、図１に示したマスタ機１０とスレーブ機１１Ａ〜１１Ｄ間の動作の制御について説明する。図５（ａ）〜（ｄ）は、それぞれスレーブ機１１Ａ〜１１Ｄにおけるタイムスロットの割り当てを示したものである。このように、本実施の形態に係るデータ記録再生装置では、各スレーブ機１１Ａ〜１１Ｄでは、いずれも、一定時間間隔Ｔ１をデコーダ部２２ａ〜２２ｄ用のタイムスロットＴＳ１〜ＴＳ４とシステム管理用のタイムスロットＴＳ５に分けて制御を行っているが、スレーブ機１１Ａ〜１１Ｄ毎のシステム管理用のタイムスロットＴＳ５は、時間的に重ならないようにタイムスロット単位でずらしている。図５に示した例では、スレーブ機１１Ａ〜１１Ｄ毎のシステム管理用のタイムスロットＴＳ５の位置を、スレーブ機１１Ａでは先頭、スレーブ機１１Ｂでは２番目、スレーブ機１１Ｃでは３番目、スレーブ機１１Ｄでは４番目としているが、スレーブ機１１Ａ〜１１Ｄ毎のシステム管理用のタイムスロットＴＳ５の位置は、図５に示したものに限らず、互いに異なっていれば良い。
【００４１】
図５（ｅ）は、マスタ機１０におけるタイムスロットの割り当てを示したものである。このように、マスタ機１０では、一定時間間隔Ｔ１を、先頭から順に、各インタフェース部５３ａ〜５３ｄ用すなわち各スレーブ機１１Ａ〜１１Ｄ用の４つのタイムスロットＴＳ１１〜ＴＳ１４と、エンコーダ部５２用のタイムスロットＴＳ１５の５つのタイムスロットに分けている。ここで、図５（ａ）〜（ｅ）から分かるように、マスタ機１０における各スレーブ機１１Ａ〜１１Ｄ用のタイムスロットＴＳ１１〜ＴＳ１４は、それぞれ、各スレーブ機１１Ａ〜１１Ｄにおけるシステム管理用のタイムスロットＴＳ５と位置（タイミング）が一致している。なお、図１に示したマスタ機１０およびスレーブ機１１Ａ〜１１Ｄには、共通の同期信号（リファレンス信号）が入力されており、マスタ機１０およびスレーブ機１１Ａ〜１１Ｄは、この同期信号に同期して動作している。従って、図５に示した一定時間間隔Ｔ１およびその中のタイムスロットは完全に同期している。
【００４２】
各スレーブ機１１Ａ〜１１Ｄは、それぞれ、図５（ａ）〜（ｄ）に示したタイミングに従って、タイムスロットＴＳ１〜ＴＳ４を利用して、各デコーダ部２２ａ〜２２ｄに再生用の映像・音声データを配ることで連続再生を行いながら、システム管理用のタイムスロットＴＳ５を利用して、インタフェース部２３を介してマスタ機１０と交信し、必要であればマスタ機１０から新しい素材データの供給を受け、データ記録再生装置２１内に記録しておく。
【００４３】
一方、マスタ機１０側から見ると、図５（ｅ）に示したように、各スレーブ機１１Ａ〜１１Ｄ用のタイムスロットＴＳ１１〜ＴＳ１４が設けられていることから、各スレーブ機１１Ａ〜１１Ｄにデータを送るタイミングが重なってしまうことがなく、マスタ機１０内の一つのデータ記録再生部５１から、複数のインタフェース部５３ａ〜５３ｄを介して、複数のスレーブ機１１Ａ〜１１Ｄに対して、同一もしくは異なる素材データを自由に転送することが可能である。また、マスタ機１０では、エンコーダ部５２用のタイムスロットＴＳ１５を利用して、エンコーダ部５２に入力された映像・音声データに対して、記録のために必要な処理を行い、データ記録再生部５１に記録する作業を行うことが可能である。
【００４４】
このように、本実施の形態に係るデータ記録再生装置によれば、スレーブ機１１Ａ〜１１Ｄにおいて現状の番組送出を停止させることなく、マスタ機１０からスレーブ機１１Ａ〜１１Ｄへの素材データの転送を行い、更に、次に予定されている番組のデータをマスタ機１０に記録することが可能となる。
【００４５】
なお、図５に示したようなマスタ機１０および各スレーブ機１１Ａ〜１１Ｄにおけるタイムスロットの順番の設定は、例えば、図１における制御用コンピュータ１２によって設定される。
【００４６】
以上説明したように、本実施の形態に係るデータ記録再生装置によれば、スレーブ機１１では、データ記録再生部２１，デコーダ部２２ａ〜２２ｄ，インタフェース部２３およびコントロール部２４を共通のデータバス２５に接続し、データバス２５上の競合を避けるために、タイムスロットを用いたバス制御を行うようにしたので、一つのデータ記録再生部２１をデコーダ部２２ａ〜２２ｄおよびインタフェース部２３で共用して、データの記録再生を並行して行うことが可能となる。同様に、マスタ機１０でも、データ記録再生部５１，エンコーダ部５２，インタフェース部５３ａ〜５３ｄおよびコントロール部５４を共通のデータバス５５に接続し、データバス５５上の競合を避けるために、タイムスロットを用いたバス制御を行うようにしたので、一つのデータ記録再生部５１をエンコーダ部５２およびインタフェース部５３ａ〜５３ｄで共用して、データの記録再生を並行して行うことが可能となる。
【００４７】
従って、本実施の形態に係るデータ記録再生装置は、種々のチャネル数に対応可能であると共に、複数の素材データを多チャネルで同時に送出したり、同一の素材データを再生時間をずらして多チャネルで送出するといった多様な使用形態が可能となる。
【００４８】
更に、本実施の形態に係るデータ記録再生装置によれば、スレーブ機１１Ａ〜１１Ｄ毎のシステム管理用のタイムスロットＴＳ５を時間的にずらし、且つマスタ機１０における各スレーブ機１１Ａ〜１１Ｄ用のタイムスロットＴＳ１１〜ＴＳ１４の位置（タイミング）を、各スレーブ機１１Ａ〜１１Ｄにおけるシステム管理用のタイムスロットＴＳ５の位置（タイミング）と一致させたので、マスタ機１０と複数のスレーブ機１１Ａ〜１１Ｄとを接続して、マスタ機１０からの制御により全てのスレーブ機１１Ａ〜１１Ｄを同期運転することが可能であると共に、マスタ機１０からスレーブ機１１Ａ〜１１Ｄに対して素材の転送を行う場合に、サービスを停止させたり装置を部分的に２重化したりする必要なく、効率的に素材データの転送を行うことができる。
【００４９】
なお、本発明は上記実施の形態に限定されず、例えば、図２に示したスレーブ機１１には４つのデコーダ部２２ａ〜２２ｄを設けているが、スレーブ機１１に設けるデコーダ部の数はこれに限らない。
【００５０】
【発明の効果】
以上説明したように本発明のデータ記録再生装置または方法によれば、スレーブ機において、所定の時間周期を、データ出力部がバスを占有してデータ記録再生部より再生された映像音声データを各出力先装置に送出するための複数のデータ送出用タイムスロットとデータ入力部がバスを占有してマスタ機から転送される映像音声データをデータ記録再生部に記録するためのデータ転送用タイムスロットとに分け、且つ各スレーブ機毎に時間的に互いに異なるようにデータ転送用タイムスロットを設定し、データ送出用タイムスロットおよびデータ転送用タイムスロットに従って、スレーブ機におけるデータ記録再生部、データ入力部およびデータ出力部を制御すると共に、マスタ機が、各スレーブ機に対し、各スレーブ機毎に設定されたデータ転送用タイムスロットに同期して、マスタ機側データ記録再生部より再生された映像音声データの転送を行うようにしたので、多様な使用形態が可能になると共に、効率的に映像音声データの転送を行うことが可能となるという効果を奏する。
【００５１】
また、本発明のデータ記録再生装置または方法によれば、マスタ機が、スレーブ機に対して転送するための映像音声データの記録および再生を行うマスタ機側データ記録再生部と、出力先装置から供給される映像音声データの入力を行うマスタ機側データ入力部と、マスタ機側データ記録再生部より再生された映像音声データを各スレーブ機に転送するための複数のマスタ機側データ出力部と、マスタ機側データ記録再生部、マスタ機側データ入力部およびマスタ機側データ出力部が接続された共通のマスタ機側バスと、所定の時間周期を、マスタ機側データ入力部がマスタ機側バスを占有して入力先装置から供給される映像音声データをマスタ機側データ記録再生部に記録するためのデータ記録用タイムスロットとマスタ機側データ出力部がマスタ機側バスを占有してマスタ機側データ記録再生部より再生された映像音声データを各スレーブ機に転送するための複数のマスタ機側データ転送用タイムスロットとに分け、且つ各マスタ機側データ転送用タイムスロットを、対応するスレーブ機におけるデータ転送用タイムスロットに同期させて設定し、データ記録用タイムスロットおよびマスタ機側データ転送用タイムスロットに従って、マスタ機側データ記録再生部、マスタ機側データ入力部およびマスタ機側データ出力部を制御するマスタ機側制御手段とを有するように構成したので、上記効果に加え、スレーブ機における映像音声データの送出およびマスタ機からスレーブ機への映像音声データの転送を行いながら、新たな映像音声データをマスタ機に記録することが可能となるという効果を奏する。
【図面の簡単な説明】
【図１】本発明の一実施の形態に係るデータ記録再生装置の全体の構成を示す説明図である。
【図２】図１におけるスレーブ機の構成を示すブロック図である。
【図３】図１におけるマスタ機の構成を示すブロック図である。
【図４】図２に示したスレーブ機の動作を説明するための説明図である。
【図５】図１におけるマスタ機とスレーブ機間の動作の制御について説明するための説明図である。
【図６】ディスクアレイ装置の一般的な構成を説明するための説明図である。
【符号の説明】
１０…マスタ機、１１（１１Ａ〜１１Ｄ）…スレーブ機、２１…データ記録再生部、２２ａ〜２２ｄ…デコーダ部、２３…インタフェース部、２４…コントロール部、２５…データバス、５１…データ記録再生部、５２…エンコーダ部、５３ａ〜５３ｄ…インタフェース部、５４…コントロール部、５５…データバス
【図１】
0003640114.tif 000002
【図２】
0003640114.tif 000003
【図３】
0003640114.tif 000004
【図４】
0003640114.tif 000005
【図５】
0003640114.tif 000006
【図６】
0003640114.tif 000007